(57)【特許請求の範囲】
【請求項１】
ホストコンピューターに接続可能な媒体処理装置であって、
媒体に搭載されたＩＣタグに対して無線通信で前記ホストコンピューターから受信するコマンドに基づいて生成される書込情報を書き込み、または、前記ＩＣタグに一意に付与されるタグ識別情報を読み出す、情報読み書き部と、
前記情報読み書き部により前記書込情報の書き込みが完了しているＩＣタグの前記タグ識別情報を少なくとも記憶する記憶部と、
前記情報読み書き部と前記記憶部とを制御する制御部と、を備え、
前記制御部は、
前記情報読み書き部によりＩＣタグから読み出したタグ識別情報が、前記記憶部に記憶するタグ識別情報と一致しない場合であって、前記ＩＣタグに情報の書き込みが行われていないと判別した場合には、前記情報読み書き部によりタグ識別情報を読み出したＩＣタグへ前記書込情報を書き込みし、前記書込情報を書き込んだＩＣタグのタグ識別情報を前記記憶部に記憶し、
前記情報読み書き部によりＩＣタグから読み出したタグ識別情報が、前記記憶部に記憶するタグ識別情報と一致すると判別した場合、前記情報読み書き部によりタグ識別情報を読み出したＩＣタグへの前記書込情報の書き込みを禁止することを特徴とする媒体処理装置。
【請求項２】
前記媒体に記録する記録部をさらに備え、
前記記憶部には所定の記録情報が記憶されており、
前記制御部は、
前記情報読み書き部によりＩＣタグから読み出したタグ識別情報が、前記記憶部に記憶するタグ識別情報と一致しない場合であって、前記ＩＣタグに情報の書き込みが行われていると判別した場合には、前記記憶部に記憶された所定の記録情報を前記媒体に記録することを特徴とする請求項１に記載の媒体処理装置。
【請求項３】
前記媒体に記録する記録部をさらに備え、
前記記憶部には所定の記録情報が記憶されており、
前記制御部は、
前記情報読み書き部によりＩＣタグから読み出したタグ識別情報が、前記記憶部に記憶するタグ識別情報と一致すると判別した場合、前記記憶部に記憶された所定の記録情報を前記媒体に記録することを特徴とする請求項１に記載の媒体処理装置。
【請求項４】
前記所定の記録情報は、前記ＩＣタグが搭載された前記媒体が無効であることを明示する画像を含むことを特徴とする請求項２又は３に記載の媒体処理装置。
【請求項５】
前記書込情報は、飛行機の便を示す情報、及び、現在日時を示す情報のいずれかを含むことを特徴とする請求項１乃至４のいずれかに記載の媒体処理装置。
【請求項６】
ホストコンピューターに接続可能に構成され、
媒体に搭載されたＩＣタグに対して無線通信で前記ホストコンピューターから受信するコマンドに基づいて生成される書込情報を書き込み、または、前記ＩＣタグに一意に付与されるタグ識別情報を読み出す、情報読み書き部と、前記情報読み書き部により前記書込情報の書き込みが完了しているＩＣタグの前記タグ識別情報を少なくとも記憶する記憶部と、を備える媒体処理装置の制御方法であって、
前記情報読み書き部によりＩＣタグから読み出したタグ識別情報が、前記記憶部に記憶するタグ識別情報と一致しない場合であって、前記ＩＣタグに情報の書き込みが行われていないと判別した場合には、前記情報読み書き部によりタグ識別情報を読み出したＩＣタグへ前記書込情報を書き込みし、前記書込情報を書き込んだＩＣタグのタグ識別情報を前記記憶部に記憶し、
前記情報読み書き部によりＩＣタグから読み出したタグ識別情報が、前記記憶部に記憶するタグ識別情報と一致すると判別した場合、前記情報読み書き部によりタグ識別情報を読み出したＩＣタグへの前記書込情報の書き込みを禁止することを特徴とする媒体処理装置の制御方法。
【請求項７】
ホストコンピューターに接続可能に構成され、
媒体に搭載されたＩＣタグに対して無線通信で前記ホストコンピューターから受信するコマンドに基づいて生成される書込情報を書き込み、または、前記ＩＣタグに一意に付与されるタグ識別情報を読み出す、情報読み書き部と、前記情報読み書き部により前記書込情報の書き込みが完了しているＩＣタグの前記タグ識別情報を少なくとも記憶する記憶部と、を備える媒体処理装置の各部を制御する制御部により実行されるプログラムであって、
前記制御部に、
前記情報読み書き部によりＩＣタグから読み出したタグ識別情報が、前記記憶部に記憶するタグ識別情報と一致しない場合であって、前記ＩＣタグに情報の書き込みが行われていないと判別させた場合には、前記情報読み書き部によりタグ識別情報を読み出したＩＣタグへ前記書込情報を書き込みさせ、前記書込情報を書き込んだＩＣタグのタグ識別情報を前記記憶部に記憶させ、
前記情報読み書き部によりＩＣタグから読み出したタグ識別情報が、前記記憶部に記憶するタグ識別情報と一致すると判別させた場合、前記情報読み書き部によりタグ識別情報を読み出したＩＣタグへの前記書込情報の書き込みを禁止させることを特徴とするプログラム。
【発明の詳細な説明】
【技術分野】
【０００１】
本発明は、媒体に搭載されたＩＣタグに情報を書き込み可能な媒体処理装置、当該媒体処理装置の制御方法、及び、当該媒体処理装置を制御するためのプログラムに関する。
【背景技術】
【０００２】
従来、非接触のＩＣタグ（非接触タグ、ＲＦＩＤタグ）が設けられた媒体（記録媒体、ラベル）に近距離無線通信により情報を書き込み可能に構成された媒体処理装置（記録装置、ラベルプリンター）が知られている（例えば、特許文献１参照）。
ＩＣタグに情報が書き込まれた媒体は、例えば、以下のように使用される。すなわち、空港のカウンターにおいて顧客から荷物が預けられた際に、当該荷物を搭載すべき飛行機を特定するための情報が媒体のＩＣタグに書き込まれた上で、当該媒体が貼付等の手段により当該荷物に取り付けられる。そして、荷物の飛行機への搭載に際し、当該荷物に取り付けられた媒体のＩＣタグの情報が読み取られ、当該荷物を搭載すべき飛行機の便を識別する。
【先行技術文献】
【特許文献】
【０００３】
【特許文献１】特開２００９−８３４５９号公報
【発明の概要】
【発明が解決しようとする課題】
【０００４】
上述した媒体処理装置のようにＩＣタグに近距離無線通信により情報を書き込むものでは、媒体のＩＣタグに対する情報の書き込みに際し、処理対象となっている媒体（ＩＣタグに情報を書き込もうとしている媒体）と、処理対象となっていない媒体とが位置的に近接し、処理対象となっていない媒体に情報の書き込みが行われ、当該媒体のＩＣタグに正常に書き込まれていた情報が上書きされてしまう可能性がある。
ここで、上述のように当該媒体が取り付けられた荷物等を識別するために用いられる場合、当該識別を正確に行うため、当該ＩＣタグに書き込まれた情報の正確性が要求される。従って、処理対象となっていない媒体のＩＣタグに正常に書き込まれていた情報が上書きされ、当該ＩＣタグに記憶されている情報が誤ったものとなることを防止する必要がある。
本発明は、上述した事情に鑑みてなされたものであり、処理対象となっていない媒体のＩＣタグに正常に書き込まれていた情報が上書きされ、当該ＩＣタグに記憶されている情報が誤ったものとなることを防止することを目的とする。
【課題を解決するための手段】
【０００５】
（適応例１）
媒体に搭載されたＩＣタグに無線通信により識別情報を含む情報を書き込み、または、前記情報を読み出す情報読み書き部と、
少なくとも前記情報読み書き部により前記ＩＣタグに書き込んだ前記識別情報を記憶する記憶部と、
前記情報読み書き部と前記記憶部とを制御する制御部と、を備え、
前記制御部は、
前記情報読み書き部により前記ＩＣタグへの前記情報の書き込みが完了した場合は、少なくとも前記情報に含まれている前記識別情報を前記記憶部に記憶し、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記情報読み書き部により前記識別情報を読み出した前記ＩＣタグへの前記情報の書き込みを禁止することを特徴とする。
上記目的を達成するために、本発明は、媒体に搭載されたＩＣタグに無線通信により情報を書き込み、また、情報を読み出す情報読み書き部と、前記情報読み書き部により読み出された前記ＩＣタグに一意に付与されたタグ識別情報を記憶する記憶部と、前記情報読み書き部と前記記憶部とを制御する制御部と、を備え、前記制御部は、前記媒体の前記ＩＣタグへの書込情報の書き込みに際し、前記情報読み書き部により、前記ＩＣタグから、前記タグ識別情報を読み出し、前記書込情報の書き込みが完了した場合は、読み出した前記タグ識別情報を、書き込みが完了した前記ＩＣタグを示すものとして前記記憶部に記憶する一方、前記媒体の前記ＩＣタグへの書込情報の書き込みに際し、前記情報読み書き部により、前記ＩＣタグから、前記タグ識別情報を読み出し、前記記憶部に記憶した前記タグ識別情報の中に、読み出した前記タグ識別情報と一致するものがあるか否かを判別し、一致するものがある場合、前記書込情報の書き込みを行わないことを特徴とする。
この構成によれば、書き込みを行ったＩＣタグについて、タグ識別情報を累積的に記憶することによって管理し、ある１の媒体のＩＣタグに書込情報を書き込む際は、当該ＩＣタグのタグ識別情報を読み出し、累積的に記憶した前記タグ識別情報の中に、読み出した前記タグ識別情報と一致するものがあるか否かを判別する。ここで、一致するものがあるということは、既に、ＩＣタグには情報が書き込まれているということ、換言すれば、処理対象となっていない媒体に対して書込情報の書き込みを行おうとしているということである。この場合、媒体のＩＣタグに既に書き込まれている情報が上書きされることを防止する必要がある。そして上記構成によれば、上記判別の結果、一致するものがある場合は、書込情報の書き込みを行わないため、処理対象となっていない媒体のＩＣタグに正常に書き込まれていた情報が上書きされ、当該ＩＣタグに記憶されている情報が誤ったものとなることを防止できる。
【０００６】
（適応例２）
前記媒体に記録する記録部をさらに備え、
前記記憶部には第１の記録情報が記憶されており、
前記制御部は、
前記情報読み書き部による前記媒体に搭載された前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、
一致するものがないと判別した場合は、前記記憶部から前記第１の記録情報を読み出して前記記録部により前記媒体に記録することを特徴とする。
また、本発明は、前記媒体に記録する記録部をさらに備え、前記記憶部には所定の記録情報が記憶されており、前記制御部は、前記媒体の前記ＩＣタグへの書込情報の書き込みに際し、前記記憶部に記憶した前記タグ識別情報の中に、読み出した前記タグ識別情報と一致するものがあるか否かを判別し、前記記憶部に記憶した前記タグ識別情報の中に、読み出した前記タグ識別情報と一致するものがない場合であって、既に前記書込情報が書き込まれている場合は、前記記憶部に記憶された前記所定の記録情報を前記媒体に記録することを特徴とする。
ここで、ある１の媒体のＩＣタグについて、累積的に記憶したタグ識別情報の中に、読み出したタグ識別情報と一致するものがない場合であって、既に書込情報が書き込まれている場合は、当該１の媒体のＩＣタグに対して、想定された態様で正常に書込情報の書き込みが行われておらず、ＩＣタグに書き込まれた書込情報の信頼性が担保できない。これを踏まえ、上記構成によれば、上記のような場合には、媒体にその旨示す情報が記録されるため、ユーザーは、当該媒体のＩＣタグに書き込まれた書込情報が誤っている可能性があることを認識でき、対処することが可能となる。
【０００７】
（適応例３）
前記媒体に記録する記録部をさらに備え、
前記記憶部には第２の記録情報が記憶されており、
前記制御部は、
前記情報読み書き部による前記媒体に搭載された前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記記憶部から前記第２の記録情報を読み出して、前記記録部により前記媒体に記録することを特徴とする。
（適応例４）
前記制御部は、
前記情報読み書き部による前記ＩＣタグへの前記情報の書き込みに際し、前記情報読み書き部により無線通信可能な前記ＩＣタグに、前記識別情報が書き込まれているか否か、または、所定の初期値が書き込まれているか否かを判別し、
前記識別情報が書き込まれていないと判別した場合、または、前記所定の初期値が書き込まれていると判別した場合、前記情報読み書き部により前記無線通信可能な前記ＩＣタグへ前記情報の書き込みを行うことを特徴とする。
（適応例５）
前記媒体に記録する記録部をさらに備え、
前記制御部は、
前記無線通信可能な前記ＩＣタグに、前記識別情報が書き込まれていないと判別した場合、または、前記所定の初期値が書き込まれていると判別した場合、前記記録部により少なくとも前記識別情報を前記ＩＣタグを搭載した前記媒体に記録することを特徴とする。
また、本発明は、前記媒体に記録する記録部をさらに備え、前記記憶部には所定の記録情報が記憶されており、前記制御部は、前記媒体の前記ＩＣタグへの書込情報の書き込みに際し、前記情報読み書き部により、前記ＩＣタグから、前記タグ識別情報を読み出し、前記記憶部に記憶した前記タグ識別情報の中に、読み出した前記タグ識別情報と一致するものがあるか否かを判別し、一致するものがある場合、前記記録部により前記所定の記録情報を前記媒体に記録することを特徴とする。
この上記構成によれば、上記判別の結果、一致するものがある場合は、媒体にその旨示す情報が記録されるため、ユーザーは、当該媒体のＩＣタグか、或いは、当該ＩＣタグと同一のタグ識別情報を有するＩＣタグが誤っている可能性があることを認識でき、対処することが可能となる。
【０００８】
また、上記目的を達成するために、本発明は、複数の媒体処理装置と、複数の前記媒体処理装置に接続された制御装置と、を備える媒体処理システムであって、前記媒体処理装置は、媒体に搭載されたＩＣタグに無線通信により情報を書き込み、また、情報を読み出す情報読み書き部と、前記情報読み書き部を制御する制御部と、を備え、前記制御部は、前記媒体の前記ＩＣタグへの書込情報の書き込みに際し、前記情報読み書き部により、前記ＩＣタグから、前記ＩＣタグに一意に付与されたタグ識別情報を読み出し、前記書込情報の書き込みが完了した場合は、前記制御装置と通信し、読み出した前記タグ識別情報を、書き込みが完了した前記ＩＣタグを示すものとして前記制御装置の記憶部に記憶する一方、前記媒体の前記ＩＣタグへの書込情報の書き込みに際し、前記情報読み書き部により、前記ＩＣタグから、前記タグ識別情報を読み出し、前記制御装置と通信し、前記制御装置の記憶部に記憶した前記タグ識別情報の中に、読み出した前記タグ識別情報と一致するものがあるか否かを判別し、一致するものがある場合、前記書込情報の書き込みを行わないことを特徴とする。
この構成によれば、処理対象となっていない媒体のＩＣタグに正常に書き込まれていた情報が上書きされ、当該ＩＣタグに記憶されている情報が誤ったものとなることを防止でき、さらに、以下の効果を奏する。すなわち、複数の媒体処理装置のそれぞれによって、媒体のＩＣタグに書込情報を行えるようにしたシステムが存在する。このようなシステムでは、システムを構成する媒体処理装置の全てについて、処理対象となっていない媒体のＩＣタグに正常に書き込まれていた情報の上書きを防止するためには、各媒体処理装置が書込情報の書き込みを行ったＩＣタグのタグ識別情報について、システム全体で管理する必要がある。これを踏まえ、上記構成によれば、制御装置の記憶部においてシステムを構成する媒体処理装置のそれぞれが書込情報の書き込みを行ったＩＣタグのタグ識別情報が統括的に管理され、各媒体処理装置は、制御装置において統括的に管理されているタグ識別情報に基づいて、既に書き込みを行っているか否かを判別するため、システムを構成する媒体処理装置の全てについて、処理対象となっていない媒体のＩＣタグに正常に書き込まれていた情報の上書きを効果的に防止できる。
【０００９】
また、本発明は、前記媒体処理装置は、前記媒体に記録する記録部と、所定の記録情報を記憶する記憶部と、をさらに備え、前記制御部は、前記媒体の前記ＩＣタグへの書込情報の書き込みに際し、前記制御装置と通信し、前記制御装置の前記記憶部に記憶した前記タグ識別情報の中に、読み出した前記タグ識別情報と一致するものがあるか否かを判別し、前記制御装置の記憶部に記憶した前記タグ識別情報の中に、読み出した前記タグ識別情報と一致するものがない場合であって、既に前記書込情報が書き込まれている場合は、前記記録部に記憶された前記所定の記録情報を前記媒体に記録することを特徴とする。
この構成によれば、上記のような場合には、媒体にその旨示す情報が記録されるため、ユーザーは、当該媒体のＩＣタグに書き込まれた書込情報が誤っている可能性があることを認識でき、対処することが可能となる。
【００１０】
（適応例６）
媒体に搭載されたＩＣタグに無線通信により識別情報を含む情報を書き込み、または、前記情報を読み出す情報読み書き部と、少なくとも前記情報読み書き部により前記ＩＣタグに書き込んだ前記識別情報を記憶する記憶部と、を備える媒体処理装置の制御方法であって、
前記情報読み書き部により前記ＩＣタグへの前記情報の書き込みが完了した場合は、少なくとも前記情報に含まれている前記識別情報を前記記憶部に記憶し、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別し、一致するものがあると判別した場合、前記情報読み書き部により前記識別情報を読み出した前記ＩＣタグへの前記情報の書き込みを禁止することを特徴とする。
また、上記目的を達成するために、本発明は、媒体に搭載されたＩＣタグに無線通信により情報を書き込み、また、情報を読み出す情報読み書き部と、前記情報読み書き部により読み出された前記ＩＣタグに一意に付与されたタグ識別情報を記憶する記憶部と、を備える媒体処理装置の制御方法であって、前記媒体の前記ＩＣタグへの書込情報の書き込みに際し、前記情報読み書き部により、前記ＩＣタグから、前記タグ識別情報を読み出し、前記書込情報の書き込みが完了した場合は、読み出した前記タグ識別情報を、書き込みが完了した前記ＩＣタグを示すものとして前記記憶部に記憶する一方、前記媒体の前記ＩＣタグへの書込情報の書き込みに際し、前記情報読み書き部により、前記ＩＣタグから、前記タグ識別情報を読み出し、前記記憶部に記憶した前記タグ識別情報の中に、読み出した前記タグ識別情報と一致するものがあるか否かを判別し、一致するものがある場合、前記書込情報の書き込みを行わないことを特徴とする。
この制御方法によれば、処理対象となっていない媒体のＩＣタグに正常に書き込まれていた情報が上書きされ、当該ＩＣタグに記憶されている情報が誤ったものとなることを防止できる。
【００１１】
（適応例７）
媒体に搭載されたＩＣタグに無線通信により識別情報を含む情報を書き込み、または、前記情報を読み出す情報読み書き部と、少なくとも前記情報読み書き部により前記ＩＣタグに書き込んだ前記識別情報を記憶する記憶部と、を備える媒体処理装置の各部を制御する制御部により実行されるプログラムであって、
前記制御部に、
前記情報読み書き部により前記ＩＣタグへの前記情報の書き込みが完了した場合は、少なくとも前記情報に含まれている前記識別情報を、前記記憶部に記憶させ、
前記情報読み書き部による前記ＩＣタグへの前記情報の書き込みに際し、前記情報読み書き部により無線通信可能な前記ＩＣタグから読み出した前記識別情報が、前記記憶部に記憶した前記識別情報の中に一致するものがあるか否かを判別させ、一致するものがあると判別した場合、前記情報読み書き部により前記識別情報を読み出した前記ＩＣタグへの前記情報の書き込みを禁止させることを特徴とする。
また、上記目的を達成するために、本発明は、媒体に搭載されたＩＣタグに無線通信により情報を書き込み、また、情報を読み出す情報読み書き部と、前記情報読み書き部により読み出された前記ＩＣタグに一意に付与されたタグ識別情報を記憶する記憶部と、を備える媒体処理装置の各部を制御する制御部により実行されるプログラムであって、前記制御部に、前記媒体の前記ＩＣタグへの書込情報の書き込みに際し、前記情報読み書き部により、前記ＩＣタグから、前記タグ識別情報を読み出させ、前記書込情報の書き込みが完了した場合は、読み出した前記タグ識別情報を、書き込みが完了した前記ＩＣタグを示すものとして前記記憶部に記憶させる一方、前記媒体の前記ＩＣタグへの書込情報の書き込みに際し、前記情報読み書き部により、前記ＩＣタグから、前記タグ識別情報を読み出させ、前記記憶部に記憶した前記タグ識別情報の中に、読み出させた前記タグ識別情報と一致するものがあるか否かを判別させ、一致するものがある場合、前記書込情報の書き込みを行わないことを特徴とする。
このプログラムによれば、処理対象となっていない媒体のＩＣタグに正常に書き込まれていた情報が上書きされ、当該ＩＣタグに記憶されている情報が誤ったものとなることを防止できる。
【発明の効果】
【００１２】
本発明によれば、媒体のＩＣタグに書き込まれる情報について、書き込まれる情報の特性を踏まえて、誤った情報が書き込まれることを防止できる。
【図面の簡単な説明】
【００１３】
【図１】本実施形態に係る媒体処理システムの構成を示す図である。
【図２】媒体処理システムの構成をより詳細に示す図である。
【図３】専用紙の構成を示す図である。
【図４】媒体処理装置の機能的構成を示すブロック図である。
【図５】媒体処理装置の動作を示すフローチャートである。
【発明を実施するための形態】
【００１４】
以下、図面を参照して本発明の実施形態について説明する。
図１は、本実施形態に係る媒体処理システム１の構成を示す図である。
媒体処理システム１は、空港において、航空会社が管理するサービスカウンターＣＴに適用されることが想定されたシステムであり、サービスカウンターＣＴにおいて、飛行機に搭乗する予定の顧客から、当該飛行機に搭載すべき荷物を預かった場合に、当該荷物を搭載すべき飛行機の便を特定するための情報が記録面に記録され、かつ、後述するＲＦＩＤタグ１１（ＩＣタグ）に書き込まれたラベル（以下、「荷物ラベル」という。）を発行する機能を有している。発行された荷物ラベルは、貼付等の手段により荷物に取り付けられる。そして、荷物の飛行機への搭載に際し、当該荷物に取り付けられた荷物ラベルのＲＦＩＤタグ１１に書き込まれた情報が専用のリーダーにより読み出される等して当該荷物を搭載すべき飛行機の便が識別され、当該荷物が適切な飛行機の便に搭載される。
図１に示すように、媒体処理システム１は、荷物ラベルを発行する装置である複数の媒体処理装置２と、媒体処理装置２のそれぞれを制御する複数のホストコンピューター３と、これらホストコンピューター３に、ＬＡＮ等のネットワーク４を介して通信可能に接続された管理サーバー５（制御装置）と、を備えている。
媒体処理システム１は、複数の媒体処理装置２を有しているが、いずれの媒体処理装置２においても、荷物ラベルの発行が可能である。
【００１５】
図２は、媒体処理システム１のより詳細な構成を示す図である。図３は、媒体処理装置２によって処理される専用紙１０（媒体）を模式的に示す図である。
図３に示すように、専用紙１０は、複数のラベルブロック１４が所定方向に連続して接合された構成となっている。１つのラベルブロック１４は、１枚の荷物ラベルに対応しており、１枚の荷物ラベルの発行の際は、１つのラベルブロック１４の記録面１４ａに所定の画像が記録されると共に、当該１つのラベルブロック１４のＲＦＩＤタグ１１に所定の情報が書き込まれた後、当該１つのラベルブロック１４が専用紙１０から切り離されることによって発行される。
ラベルブロック１４のそれぞれの所定の位置には、ＲＦＩＤタグ１１が設けられている。ＲＦＩＤタグ１１は、非接触タグであり、後述する媒体処理装置２のリーダーライター機構１５との間で、ＮＦＣ等の所定の規格に通信した近距離無線通信を行う。ＲＦＩＤタグ１１は、アンテナと、ＩＣチップとを有しており、このＩＣチップは、制御回路や、ＲＦ部、変調／復調部として機能する信号処理回路、各種データを書き換え可能、かつ、不揮発的に記憶するＩＣメモリー等を有している。
専用紙１０を構成する全てのラベルブロック１４のＲＦＩＤタグ１１のＩＣメモリーの所定の記憶領域には、ＲＦＩＤタグ１１を識別するために、ＲＦＩＤタグ１１のそれぞれに一意に付与されたタグ識別情報が記憶されている。ＲＦＩＤタグ１１のＩＣメモリーの所定の記憶領域にタグ識別情報を記憶すべきこと、及び、記憶すべきタグ識別情報の値の規則等は、所定の規格により定められており、本実施形態においては、当該所定の規格に準じて、全てのラベルブロック１４の各ＲＦＩＤタグ１１に適切にタグ識別情報が記憶されている。
【００１６】
図２に示すように、媒体処理装置２にはロール状の専用紙１０を収納する収納部１９が設けられており、媒体処理装置２は、収納部１９に収納された専用紙１０を所定方向に搬送しつつ、専用紙１０を構成するラベルブロック１４のそれぞれに対して適切な処理を施す。
制御部２０は、ＣＰＵや、ＲＯＭ、ＲＡＭ、その他の周辺回路等を備え、媒体処理装置２の各部を中枢的に制御する。すなわち、ＲＯＭには、媒体処理装置２の基本的な動作を制御する制御プログラムが記憶されており、制御部２０のＣＰＵは、当該制御プログラムを読み出して実行することにより、媒体処理装置２の各部を制御する。
インジケーター２１は、複数のＬＥＤを備え、各ＬＥＤの点灯／消灯、及び、点灯するときの色の組み合わせにより、媒体処理装置２の動作モードや、エラーの発生等の各種情報を報知する。
リーダーライター機構１５は、アンテナや、ＲＦ部、変調／復調部として機能する信号処理回路等を備え、専用紙１０のラベルブロック１４に設けられたＲＦＩＤタグ１１と所定の規格に準拠して近距離無線通信を行い、ＲＦＩＤタグ１１のＩＣメモリーの所定の記憶領域に情報を書き込み、また、ＲＦＩＤタグ１１のＩＣメモリーに記憶されている情報を読み出す。以下、ＲＦＩＤタグ１１のＩＣメモリーの所定の記憶領域に情報を書き込むことを、単に、「ＲＦＩＤタグ１１に情報を書き込む」と表現し、また、ＲＦＩＤタグ１１のＩＣメモリーに記憶されている情報を読み出すことを、単に、「ＲＦＩＤタグ１１から情報を読み出す」と表現する。本実施形態では、リーダーライター機構１５、その他の付随する機構、装置が協働して「媒体のＩＣタグに無線通信により情報を書き込み、また、情報を読み出す情報読み書き部」として機能する。
【００１７】
記録機構２４は、専用紙１０のラベルブロック１４の記録面１４ａに画像を記録する機構であり、記録ヘッド２５を備えている。記録ヘッド２５は、専用紙１０の搬送方向と交わる方向に発熱素子が並べて設けられたライン式のサーマルヘッドであり、専用紙１０のラベルブロック１４の記録面１４ａに熱を与えてドットを形成し、ドットの組み合わせにより画像を記録する。本実施形態では、記録機構２４、その他の付随する機構、装置が協働して「媒体に記録する記録部」として機能する。
搬送機構２６は、搬送モーター２７と、この搬送モーター２７に接続されたプラテンローラー２８とを備え、搬送モーター２７の駆動に応じて、プラテンローラー２８が所定方向に回転し、プラテンローラー２８の回転に伴って、専用紙１０が搬送方向に搬送される。
ＲＴＣ２９（Real time clock：リアルタイムクロック）は、図示せぬ電池から電力の供給を受けて現在日時（日付、時刻）を計時し、現在日時を示すデータを制御部２０に出力する。
【００１８】
ホストコンピューター３は、媒体処理装置２を制御する端末であり、媒体処理装置２の制御用のデバイスドライバーがインストールされており、当該デバイスドライバーの機能により、媒体処理装置２に対して、適宜、制御コマンドを送信し、媒体処理装置２を制御する。
管理サーバー５は、媒体処理システム１を統括的に管理するサーバーであり、サーバー側記憶部７に、後述する書込済タグＩＤデータベース６を記憶する。
ここで、処理対象となっているラベルブロック１４のＲＦＩＤタグ１１からリーダーライター機構１５によりタグ識別情報を読み出し、所定の情報の書き込みが終了すると、書込済タグＩＤデータベース６の代わりに記憶部３０にタグ識別情報を書き込むようにしてもよい。
【００１９】
図４は、制御部２０の主要な機能の機能ブロックを模式的に示す図である。図４に示す各機能ブロックの機能は、制御部２０のＣＰＵが、ＲＯＭに記憶された基本制御プログラムを読み出して実行する等、ハードウェアとソフトウェアとの協働により実現される。
統括制御部３５は、ＲＴＣ情報読出部３６、ＲＦＩＤタグ読み書き制御部３７、記録制御部３８、及び、表示制御部３９のそれぞれを統括的に制御する。
ＲＴＣ情報読出部３６は、ＲＴＣ２９の現在時刻を示すデータが格納された揮発性メモリーにアクセスし、当該メモリーに記憶された現在時刻を示すデータを取得し、時刻情報として統括制御部３５に出力する。
ＲＦＩＤタグ読み書き制御部３７は、統括制御部３５の制御の下、リーダーライター機構１５を制御して、専用紙１０のラベルブロック１４のＲＦＩＤタグ１１に情報を書き込み、また、ＲＦＩＤタグ１１から情報を読み出す。
記録制御部３８は、統括制御部３５の制御の下、記録機構２４を制御して、専用紙１０のラベルブロック１４の記録面１４ａに画像を記録する。
表示制御部３９は、統括制御部３５の制御の下、インジケーター２１を構成する各ＬＥＤに信号処理回路を介して駆動信号を出力して、各ＬＥＤを所定の態様で点灯／消灯させる。
【００２０】
ところで、図３を用いて説明したように、専用紙１０は、ラベルブロック１４が連続して接合されて構成されている。従って、１のラベルブロック１４と、当該１のラベルブロック１４に隣接するラベルブロック１４について、これらラベルブロック１４に設けられたＲＦＩＤタグ１１のそれぞれは、位置が近接した状態である。このため、以下のような事態が発生する可能性がある。
すなわち、ある１のラベルブロック１４のＲＦＩＤタグ１１に対する書込情報Ｄ２の書き込みが正常に完了し、当該１のラベルブロック１４に隣接する次のラベルブロック１４のＲＦＩＤタグ１１に書込情報Ｄ２を書き込む場合を想定する。この場合、当該次のラベルブロック１４と、当該１のラベルブロック１４とが位置的に近接していることに起因して、リーダーライター機構１５と、当該１のラベルブロック１４との間で通信が確立し、当該１のラベルブロック１４のＲＦＩＤタグ１１に対して情報が書き込まれ、書き込まれていた元の情報が上書きされる可能性がある。
このほか、以下の事態も生じ得る。すなわち、何らかの原因で、想定された態様で正常に情報の書き込みが行われていない場合がある。この場合、ＲＦＩＤタグ１１に書き込まれた情報の信頼性が担保できないため、そのことをユーザーに認識させる必要がある。
以上を踏まえ、本実施形態に係る媒体処理システム１の各装置は以下の動作を行う。
【００２１】
図５は、媒体処理装置２が荷物ラベルを発行するときの動作を示すフローチャートである。なお、以下の説明では、専用紙１０の搬送は適切に行われるものとし、説明を省略する。
まず、媒体処理装置２の制御部２０の統括制御部３５は、ホストコンピューター３から荷物ラベルの発行を指示する制御コマンド（以下、「ラベル発行指示コマンド」という。）を受信したか否かを監視する（ステップＳＡ１）。
ここで、ラベル発行指示コマンドについて詳述する。
上述したように、荷物ラベルは、顧客から渡された荷物について、当該荷物を搭載すべき飛行機の便を特定するための情報が記録面に記録され、かつ、ＲＦＩＤタグ１１に書き込まれたラベルである。そして、ホストコンピューター３は、荷物ラベルの発行に際し、記録指示コマンドＣ１、及び、書込指示コマンドＣ２を含むラベル発行指示コマンドを生成し、媒体処理装置２に送信する。
記録指示コマンドＣ１とは、記録情報Ｄ１を含み、当該記録情報Ｄ１を、発行すべき荷物ラベルに対応するラベルブロック１４の記録面１４ａに記録することを指示する制御コマンドである。本実施形態では、記録情報Ｄ１には、（１）顧客の氏名等の顧客に関する情報（顧客情報）、（２）荷物を搭載すべき飛行機の便を示す情報（便情報）、（３）荷物を搭載すべき飛行機の便を示すバーコード（バーコード情報）が含まれている。これら顧客情報、便情報、及び、バーコード情報を含む記録情報Ｄ１が荷物ラベルの記録面に記録されることにより、当該記録情報Ｄ１を視認することによって、又は、バーコード情報をバーコードリーダーにより読み取ることによって、当該荷物ラベルが取り付けられた荷物を搭載すべき飛行機の便を特定できる。なお、実際には、記録情報Ｄ１に含まれる情報は任意であり、上記３つの情報以外の情報が含まれていてもよい。
一方、書込指示コマンドＣ２とは、上記の記録情報Ｄ１に含まれる便情報と、現在日時を示す情報（時刻に関する情報。以下、「現在日時情報」という。）との組み合わせからなる書込情報Ｄ２について、ＲＦＩＤタグ１１への書き込みを指示する制御コマンドである。これら便情報と現在日時情報との組み合わせにより、荷物を搭載すべき飛行機の便を一意に特定することが可能であるため、実際に荷物を搭載すべき飛行機の便に応じて振分ける際には、図示せぬＲＦＩＤタグ１１のリーダーにより、ＲＦＩＤタグ１１から書込情報Ｄ２が読み出され、読出された書込情報に基づいて、搭載すべき飛行機の便が特定される。なお、本実施形態では、現在日時情報は、日付（○年○月○日）と、時刻（○時○分）との組み合わせからなる情報であるが、便情報との組み合わせによって飛行機の便を一意に特定できる情報であればよく、例えば、月日（○月○日）を示す情報であってもよい。
【００２２】
さて、ラベル発行指示コマンドを受信すると（ステップＳＡ１：ＹＥＳ）、統括制御部３５は、処理対象となっているラベルブロック１４（発行すべき荷物ラベルに対応するラベルブロック１４）のＲＦＩＤタグ１１からタグ識別情報を読み出す（ステップＳＡ２）。
次いで、統括制御部３５は、ホストコンピューター３を介して、管理サーバー５のサーバー側記憶部７に記憶された書込済タグＩＤデータベース６にアクセスする（ステップＳＡ３）。なお、統括制御部３５は、管理サーバー５と、ホストコンピューター３を介して、所定のプロトコルに準拠して通信を行い、書込済タグＩＤデータベース６にアクセスする。  次いで、統括制御部３５は、ステップＳＡ２で読み出したタグ識別情報の値と、一致する値のタグ識別情報が、書込済タグＩＤデータベース６に記憶されているか否かを判別する（ステップＳＡ４）。当該判別に係る処理は、統括制御部３５の機能により行われてもよく、管理サーバー５の機能により行われてもよい。
ここで、後のステップＳＡ１３で明らかとなるとおり、書込済タグＩＤデータベース６には、ラベル発行指示コマンドに基づいて正常に書込情報Ｄ２が書き込まれたＲＦＩＤタグ１１のタグ識別情報が一元的に管理されている。つまり、書込済タグＩＤデータベース６に記憶されているタグ識別情報に係るＲＦＩＤタグ１１には、既に、書込情報Ｄ２の書き込みが完了している、ということである。
なお、書込済タグＩＤデータベース６に格納された情報と同等の内容の情報を、記憶部３０に記憶する構成とし、書込済タグＩＤデータベース６にアクセスする代わりに、記憶部３０を参照し、ＲＦＩＤタグ１１から読み出したタグ識別情報が、記憶部３０に記憶されているかを判別してもよい。
【００２３】
ステップＳＡ４において、ステップＳＡ２で読み出したタグ識別情報の値と、一致する値のタグ識別情報が、書込済タグＩＤデータベース６に記憶されていると判別した場合（ステップＳＡ４：ＹＥＳ）、統括制御部３５は、処理対象となっているラベルブロック１４のＲＦＩＤタグ１１に対する書込情報Ｄ２の書き込みを行わず、さらに、当該ラベルブロック１４に対する記録情報Ｄ１の記録を行わない（ステップＳＡ５）。
このステップＳＡ５により以下の効果を奏する。
すなわち、上述したとおり、ステップＳＡ２で読み出したタグ識別情報の値と、一致する値のタグ識別情報が、書込済タグＩＤデータベース６に記憶されている、ということは、処理対象となっているラベルブロック１４のＲＦＩＤタグ１１に対する書込情報Ｄ２の書き込みが既に正常に完了しているということである。この場合、直前にＲＦＩＤタグ１１に書込情報Ｄ２が書き込まれたラベルブロック１４に対して、書込情報Ｄ２を書き込もうとしていたり、また、何らかの理由で、発行済の荷物ラベルが媒体処理装置２の近傍に位置していたりすることが考えられる。この場合に、既にＲＦＩＤタグ１１に記憶されている情報を上書きしてしまうと、ＲＦＩＤタグ１１に記憶された情報が誤ったものとなってしまう。そして、本実施形態では、ステップＳＡ２で読み出したタグ識別情報の値と、一致する値のタグ識別情報が、書込済タグＩＤデータベース６に記憶されている場合は、処理対象となっているラベルブロック１４に対する書込情報Ｄ２の書き込みが禁止されるため、正常に書込情報Ｄ２が書き込まれているＲＦＩＤタグ１１について、情報が上書きされ、記憶する情報の内容が誤ったものとなってしまうことを防止できる。つまり、本実施形態に係る媒体処理システム１では、規格により、ＲＦＩＤタグ１１にタグ識別情報が記憶されていることに着目し、当該タグ識別情報を利用して、ＲＦＩＤタグ１１に書き込まれた書込情報Ｄ２が誤ったものとなってしまうことを効果的に防止している。
なお、ステップＳＡ５において、記録制御部３８は、処理対象となっているラベルブロック１４に対して記録機構２４によりＶＯＩＤ印刷を行ってもよい。ＶＯＩＤ印刷については後述する。これにより、対応するラベルブロック１４について、書き込みが既に正常に完了していると判別したため、情報の書き込み、情報の記録を行わなかった旨を報知できる。また、処理対象となっているラベルブロック１４と同一のタグ識別情報の値を有するＲＦＩＤタグ１１を搭載するラベルブロック１４がまだ媒体処理装置２から排出されていない場合には、記録制御部３８は、当該ラベルブロック１４を搬送機構２６により記録機構２４の位置まで搬送し、ＶＯＩＤ印刷を行ってもよい。このように同一のタグ識別情報の値を有する複数のＲＦＩＤタグ１１を搭載するそれぞれのラベルブロック１４の少なくとも１つにＶＯＩＤ印刷を行うようにしてもよい。
【００２４】
さて、ステップＳＡ４において、ステップＳＡ２で読み出したタグ識別情報の値と、一致する値のタグ識別情報が、書込済タグＩＤデータベース６に記憶されていないと判別した場合（ステップＳＡ４：ＮＯ）、統括制御部３５は、ＲＦＩＣタグ読み書き制御部３７により、ＲＦＩＤタグ１１のＩＣメモリーの所定の記憶領域にアクセスし、ＲＦＩＤタグ１１に対する情報の書き込みが行われているか否かを判別する（ステップＳＡ６）。
書き込みが既に行われている場合（ステップＳＡ６：ＹＥＳ）、統括制御部３５は、記録制御部３８により、処理対象となっているラベルブロック１４に対してＶＯＩＤ印刷を行う（ステップＳＡ７）。ＶＯＩＤ印刷とは、ラベルブロック１４の記録面１４ａに、当該ラベルブロック１４が無効であることを明示する画像を記録することである。ユーザーは、ＶＯＩＤ印刷によって記録された画像を参照することにより、当該ラベルブロック１４、又は、当該ラベルブロック１４に対応する荷物ラベルが無効であることを迅速、かつ、確実に認識できる。ＶＯＩＤ印刷を行うための記録情報（「所定の記録情報」）（ＶＯＩＤ印刷によって記録される画像に関する情報）は、記憶部３０に記憶されている。
ステップＳＡ７の処理により以下の効果を奏する。すなわち、後のステップＳＡ１３で明らかとなるとおり、ＲＦＩＤタグ１１に対する書込情報Ｄ２の書き込みが正常に完了した場合、統括制御部３５は、当該ＲＦＩＤタグ１１のタグ識別情報を管理サーバー５に送信し、当該タグ識別情報は、書込済タグＩＤデータベース６において管理される。従って、書込済タグＩＤデータベース６にタグ識別情報が記憶されていない場合であって、ＲＦＩＤタグ１１に既に情報が書き込まれている場合は、何らかの原因で、想定された態様で正常に情報の書き込みが行われていない可能性がある。そして、このような場合に、書込情報Ｄ２の書き込み、記録情報Ｄ１の記録が行われず、ラベルブロック１４に対してＶＯＩＤ印刷が行われるため、ラベルブロック１４に不正な情報が書き込まれている可能性を迅速にユーザーに認識させることができると共に、原因の究明等に利用させることができる。
【００２５】
さて、ステップＳＡ６において、ＲＦＩＤタグ１１に対する情報の書き込みが行われていないと判別した場合（ステップＳＡ６：ＮＯ）、統括制御部３５は、ラベル発行指示コマンドに含まれる書込指示コマンドＣ２を読み出す（ステップＳＡ８）。以下のステップＳＡ９〜１２の処理は、統括制御部３５により書込指示コマンドＣ２が読み出されて実行されることにより行われる。
当該ラベル発行指示コマンドの記録指示コマンドＣ１に含まれる記録情報Ｄ１の各情報のうち、便情報を取得する（ステップＳＡ９）。
次いで、統括制御部３５は、ＲＴＣ情報読出部３６からＲＴＣ２９の揮発性メモリーに記憶された現在時刻を示すデータを取得し、現在日時情報を取得する（ステップＳＡ１０）。
次いで、統括制御部３５は、ステップＳＡ３で取得した便情報と、ステップＳＡ４で取得した現在日時情報との組み合わせからなる書込情報Ｄ２を生成し（ステップＳＡ１１）、ＲＦＩＤタグ読み書き制御部３７を制御して、リーダーライター機構１５を介して、ＲＦＩＤタグ１１に書込情報Ｄ２を書き込む（ステップＳＡ１２）。
【００２６】
次いで、統括制御部３５は、ホストコンピューター３を介して、管理サーバー５と通信し、管理サーバー５に対して、ステップＳＡ２において読み出したタグ識別情報について、書込済タグＩＤデータベース６への記憶を要求する（ステップＳＡ１３）。当該要求に応じて、管理サーバー５は、書込済タグＩＤデータベース６に適切な態様で、タグ識別情報を記憶する。
このように、本実施形態では、統括制御部３５は、書込情報Ｄ２の書き込みが正常に完了したＲＦＩＤタグ１１について、当該ＲＦＩＤタグ１１のタグ識別情報を書込済タグＩＤデータベース６に記憶させる。これにより、書込済タグＩＤデータベース６において、書込情報Ｄ２の書き込みが正常に完了したＲＦＩＤタグ１１のタグ識別情報を統括的に管理することが可能となる。
特に、本実施形態に係る媒体処理システム１は、複数の媒体処理装置２を有しているが、これら複数の媒体処理装置２のそれぞれが情報を書き込んだＲＦＩＤタグ１１のタグ識別情報が書込済タグＩＤデータベース６において一元的に管理されるため、例えば、１の媒体処理装置２で書込情報Ｄ２を書き込んだＲＦＩＤタグ１１について、他の媒体処理装置２により書き込まれた情報が上書きされる、といった事態が生じることを防止できる。
【００２７】
次いで、統括制御部３５は、ラベル発行指示コマンドに含まれる記録指示コマンドＣ１を読み出す（ステップＳＡ１４）。以下のステップＳＡ１５〜１７の処理は、統括制御部３５により記録指示コマンドＣ１が読み出されて実行されることにより行われる。
次いで、統括制御部３５は、記録指示コマンドＣ１に含まれる記録情報Ｄ１を取得し（ステップＳＡ１５）、記録制御部３８の記録制御部３８に出力する（ステップＳＡ１６）。記録制御部３８は、入力された記録情報Ｄ１に基づいて、当該記録情報Ｄ１に係る画像データを画像バッファーに展開する等の必要な処理を行い、記録機構２４を制御して、記録情報Ｄ１をラベルブロック１４の記録面１４ａに記録する（ステップＳＡ１７）。
以上のようにして、ＲＦＩＤタグ１１に書込情報Ｄ２（便情報＋現在日時情報）が書き込まれ、かつ、その記録面に記録情報Ｄ１（顧客情報＋便情報＋バーコード情報）が記録された荷物ラベルが発行される。
【００２８】
以上説明したように、本実施形態に係る媒体処理システム１では、媒体処理装置２の制御部２０の統括制御部３５は、ラベルブロック１４のＲＦＩＤタグ１１への書込情報Ｄ２の書き込みに際し、ＲＦＩＤタグ１１から、ＲＦＩＤタグ１１に一意に付与されたタグ識別情報を読み出し、書込情報Ｄ２の書き込みが完了した場合は、ホストコンピューター３と通信し、読み出したタグ識別情報を、書き込みが完了したＲＦＩＤタグ１１を示すものとしてホストコンピューター３のサーバー側記憶部７の書込済タグＩＤデータベース６に累積的に記憶する一方、ＲＦＩＤタグ１１への書込情報の書き込みに際し、ＲＦＩＤタグ１１から、タグ識別情報を読み出し、ホストコンピューター３と通信し、ホストコンピューター３の書込済タグＩＤデータベース６に累積的に記憶したタグ識別情報の中に、読み出したタグ識別情報と一致するものがあるか否かを判別し、一致するものがある場合、書込情報Ｄ２の書き込みを行わない。
この構成によれば、処理対象となっていないラベルブロック１４のＲＦＩＤタグ１１に正常に書き込まれていた情報が上書きされ、当該ＲＦＩＤタグ１１に記憶されている情報が誤ったものとなることを防止できる。さらに、媒体処理システム１を構成する媒体処理装置２の全てについて、処理対象となっていないラベルブロック１４のＲＦＩＤタグ１１に正常に書き込まれていた情報の上書きを効果的に防止できる。
【００２９】
また、本実施形態では、媒体処理装置２の制御部２０の統括制御部３５、ラベルブロック１４のＲＦＩＤタグ１１への書込情報Ｄ２の書き込みに際し、ホストコンピューター３と通信し、ホストコンピューター３のサーバー側記憶部７の書込済タグＩＤデータベース６に累積的に記憶したタグ識別情報の中に、読み出したタグ識別情報と一致するものがあるか否かを判別し、累積的に記憶したタグ識別情報の中に、読み出したタグ識別情報と一致するものがない場合であって、既に情報が書き込まれている場合は、その旨を示す情報をラベルブロック１４に記録する。
この構成によれば、上記のような場合には、媒体にその旨示す情報が記録されるため、ユーザーは、当該ラベルブロック１４のＲＦＩＤタグ１１に正常でない態様で情報が書き込まれた可能性があることを認識でき、対処することが可能となる。
【００３０】
また、本実施形態では、ステップＳＡ５において、記録制御部３８は、処理対象となっているラベルブロック１４に対して記録機構２４によりＶＯＩＤ印刷を行うことも可能である。これにより、対応するラベルブロック１４について、書き込みが既に正常に完了していると判別したため、情報の書き込み、情報の記録を行わなかった旨を報知できる。なお、上述したように、処理対象となっているラベルブロック１４と同一のタグ識別情報の値を有するＲＦＩＤタグ１１を搭載するラベルブロック１４がまだ媒体処理装置２から排出されていない場合には、記録制御部３８は、当該ラベルブロック１４を搬送機構２６により記録機構２４の位置まで搬送し、ＶＯＩＤ印刷を行ってもよい。また、同一のタグ識別情報の値を有する複数のＲＦＩＤタグ１１を搭載するそれぞれのラベルブロック１４の少なくとも１つにＶＯＩＤ印刷を行うようにしてもよい。
【００３１】
なお、上述した実施の形態は、あくまでも本発明の一態様を示すものであり、本発明の範囲内で任意に変形および応用が可能である。
例えば、上述した実施形態では、書込情報Ｄ２を書き込んだＲＦＩＤタグ１１のタグ識別情報を、管理サーバー５の書込済タグＩＤデータベース６において管理していたが、これに限らず、上記実施形態で適宜述べたとおり、個々の媒体処理装置２が、自身の記憶部３０に記憶し管理する構成であってもよく、また、複数の媒体処理装置２のうち、代表する１台の媒体処理装置２の記憶部３０に記憶し、管理する構成であってもよい。個々の媒体処理装置２が、書込情報Ｄ２を書き込んだＲＦＩＤタグ１１のタグ識別情報を、自身の記憶部３０に記憶し管理する構成は、特に、１台の媒体処理装置２によって専用紙１０を処理する場合に有効である。
また、上述した実施形態では、管理サーバー５への書込済タグＩＤデータベース６へのアクセスや、タグ識別情報の比較等の処理を、媒体処理装置２が主体となって、管理サーバー５と協働して行う構成であったが、これら処理の１部、又は、全部をホストコンピューター３が主体となって、媒体処理装置２、及び、管理サーバー５と協働して行う構成であっても良い。この場合、この場合、ホストコンピューター３と媒体処理装置２が協働して「媒体処理装置」として機能する。
また例えば、上述した実施形態に係る媒体処理装置２の記録ヘッド２５は、サーマル式であったが、記録形式はこれに限らずインクジェット式、ドットインパクト式等何であってもよく、また、媒体のＩＣタグとの通信規格は何であってもよい。また例えば、図３、４に示す各機能ブロックはハードウェアとソフトウェアの協働により任意に実現可能であり、特定のハードウェア構成を示唆するものではない。また、媒体処理装置２の各機能ブロックの機能を、媒体処理装置２に外部接続される別の装置に持たせるようにしてもよい。また、媒体処理装置２は、外部接続される記憶媒体に記憶させたプログラムを実行することにより、各種動作を実行するようにしてもよい。
【符号の説明】
【００３２】
１…媒体処理システム、２…媒体処理装置、３…ホストコンピューター、４…ネットワーク、５…管理サーバー（制御装置）、７…サーバー側記憶部（記憶部）、１０…専用紙（媒体）、１１…ＲＦＩＤタグ（ＩＣタグ）、１５…リーダーライター機構（情報読み書き部）、２０…制御部、２４…記録機構（記録部）、３０…記憶部。
【図１】
0005962178.tif 000002
【図２】
0005962178.tif 000003
【図３】
0005962178.tif 000004
【図４】
0005962178.tif 000005
【図５】
0005962178.tif 000006